(57)【要約】【課題】照明制御システムにおいて、画像情報による照明制御だけでなく個々の使用者の属性（年齢、視力等）にも配慮した照明制御を行い、照明環境を使用者に適切にする。【解決手段】照明制御システム１は、画像情報を有する画像情報装置２と、受信した画像情報を表示すると共に画像情報装置２に供給する画像表示装置３と、画像情報装置２が設置された空間に配設された照明器具４と、使用者自体の属性を含む使用者情報を記憶し、使用者に携帯されるＩＣタグ５と、ＩＣタグ５から使用者情報を読み取り使用者情報を認識するＩＣタグ読取装置６と、画像情報と使用者情報に応じて照明器具４を制御する制御装置７とを備える。これにより鑑賞する画像情報と使用者の属性に応じた照明制御が自動的に行われるので、個々の使用者に合わせた適切な環境照明を行うことができる。【選択図】図１
2007227107.tif 000002
【特許請求の範囲】
【請求項１】
画像情報を有する画像情報装置と、
前記画像情報装置が設置された空間に配設された照明器具と、
前記画像情報装置から出力される画像情報に応じて前記照明器具を制御する制御装置と、を備える照明制御システムであって、
使用者自体の属性を含む使用者情報を記憶し、使用者に携帯される情報記憶部と、
前記情報記憶部から出力される使用者情報を受信して使用者の属性を認識する使用者情報認識部と、
を備え、
前記制御装置は、前記画像情報と前記使用者情報認識部により認識された使用者の属性とに基づいて照明器具を制御することを特徴とする照明制御システム。
【発明の詳細な説明】
【技術分野】
【０００１】
本発明は、視聴する画像情報と視聴者の属性に合わせて照明器具を制御する照明制御システムに関する。
【背景技術】
【０００２】
従来から、テレビ映像画面に応じて、室内照明を制御する照明制御装置が知られている。例えば、ＴＶ受像機のような画像表示装置と、画像表示装置が設置された空間に備えられた照明器具と、ＴＶ受像画面等の画像情報に応じて照明器具を制御する制御装置とを有する照明制御システムが知られている（特許文献１、２参照）。これは、画像表示装置に映し出される画像に連動して、画像を鑑賞する鑑賞者が存在する鑑賞空間の照明を制御する照明制御ステップを有することを特徴とするもので、画像表示装置の画像に連動して照明を制御することによって、高い臨場感が得られるようにしたものである。しかしながら、この画像に基づく照明制御では、臨場感をもたらすことを目的とするので、鑑賞者が幼児である場合等には、大人と同じような照明制御は妥当でない場合があった。
【０００３】
また、他の従来例として、カメラ画像から利用者を特定できる認識手段を備え、カメラから取り込んだ複数の利用者の画像と各利用者に対応して機器制御を行う機器制御データを予め設定、記憶しておき、この予め登録された利用者の中から特定の利用者を認識して、利用者毎に照明機器やエアコン等の各種機器を制御するものが知られている（特許文献３参照）。しかしながら、この画像情報は、利用者の顔のカメラ画像から利用者を認識するものであり、映像画像情報と結びつけるものではないので、映像画像情報に連動した照明制御をすることができなかった。
【特許文献１】特開２０００−１７３７８３号公報
【特許文献２】特開２００１−１１８６８９号公報
【特許文献３】特開平５−３５８７７号公報
【発明の開示】
【発明が解決しようとする課題】
【０００４】
本発明は、上記の問題を解決するためになされたものであり、鑑賞映像の画像情報に加え、使用者の年齢、視力、嗜好等の属性を含む使用者情報に応じて、使用者別に、使用者に適切な照度で照明器具を点灯させることができる照明制御システムを提供することを目的とする。
【課題を解決するための手段】
【０００５】
上記目的を達成するために請求項１の発明は、画像情報を有する画像情報装置と、前記画像情報装置が設置された空間に配設された照明器具と、前記画像情報装置から出力される画像情報に応じて前記照明器具を制御する制御装置とを備える照明制御システムであって、使用者自体の属性を含む使用者情報を記憶し、使用者に携帯される情報記憶部と、前記情報記憶部から出力される使用者情報を受信して使用者の属性を認識する使用者情報認識部とを備え、前記制御装置は、前記画像情報と前記使用者情報認識部により認識された使用者の属性とに基づいて照明器具を制御するものである。
【発明の効果】
【０００６】
請求項１に記載の発明によれば、画像情報と、使用者情報による個人の属性と応じて
自動的に適切な照明制御を行うことができる。
【発明を実施するための最良の形態】
【０００７】
本発明の第１の実施形態に係る照明制御システムについて図１乃至図８を参照して説明する。本実施形態の照明制御システム１は、図１に示すように、番組データ（画像情報）を有する画像情報装置２と、画像を受信して表示する画像表示装置３と、この画像表示装置３が設置された空間に配設された照明器具４と、使用者１０自体の属性を含む使用者情報を記憶し使用者１０に携帯されるＩＣタグ５（情報記憶部）と、ＩＣタグ５から出力される使用者情報を受信して使用者の属性を認識するＩＣタグ読取装置６（使用者情報認識部）と、画像情報装置２からの画像情報とＩＣタグ読取装置６からの使用者情報における使用者の属性とに基づいて照明器具４を制御する制御装置７と、を備える。
【０００８】
図２に示すように、画像情報装置２は、画像表示装置３から入力されるテレビ映像信号
に含まれる電子プログラムガイド（ＥＰＧ）信号（画像情報）をデコードするＥＰＧ信号デコーダ部２１と、このＥＰＧ信号デコーダ部２１で得られたＥＰＧ信号を送出するＥＰＧ信号送出部２２と、このＥＰＧ信号から照明制御に必要な画像情報（番組情報）を抽出する画像情報抽出部２３と、この抽出された画像情報を送出する画像情報送出部２４と、前記送出される画像情報又はＥＰＧ信号を選択して送出する送信信号選択部２５とを有し、この送出される画像情報又はＥＰＧ信号は、制御装置７からの画像情報抽出手段の有無を知らせる信号により送信信号選択部２５で選択されて制御装置７に送出される。すなわち、制御装置７において、画像情報抽出手段を有する場合はＥＰＧ信号送出部２２からのＥＰＧ信号が送出され、そうでない場合は、抽出される画像情報が画像情報送出部２４から送出される。また、画像表示装置３で復調されたテレビ映像信号は、画像表示装置３の映像出力端子Ｔ２から画像情報装置２の映像入力端子Ｔ１に接続され、ＥＰＧ信号デコーダ部２１に入力される。このように、画像情報装置２は、画像表示装置３からの視聴される映像信号を基に、ＥＰＧ信号又は照明制御に必要な画像情報を生成し、それらを制御装置７に送出する。また、画像情報抽出部２３で抽出された画像情報は、ＥＰＧ信号内から抽出した照明制御に必要な画像情報（番組情報）であり、この画像情報は、番組の内容が何であるかを示す情報であって、番組のカテゴリ、ジャンル、番組の出演者名、番組開始時間、終了時間、番組予約の有無、予約時間等が含まれる。
【０００９】
画像表示装置３は、テレビ放送電波を受信するアンテナ３１と、このアンテナ３１からのテレビ放送信号を受信してリモコン装置８でチャンネル選局して復調した映像信号を得るチューナ部３２と、リモコン装置８からのリモコン信号を受けてチューナ部３２を含む画像表示装置３内の各機能を制御するリモコン受信部３３と、チューナ部３２で復調された映像信号を処理するＣＰＵを含む信号処理部３４と、この信号処理部３４で信号処理された映像信号をテレビ画面として表示する画像表示部３５と、を備えている。また、この画像表示部３５に表示されている映像信号と同じ映像信号は、映像出力端子Ｔ２を経て、前記画像情報装置２の映像入力端子Ｔ１に接続されている。すなわち、使用者が見ている番組と同じ画像信号が画像情報装置２に供給される。
【００１０】
照明器具４は、点灯可能にされたランプ等の光源である照明負荷４１と、この照明負荷４１を点灯するための点灯回路４２を有し、天井又は壁に固定される通常の照明器具と照明スタンドとを含み、制御装置７により制御される。
【００１１】
ＩＣタグ５は、使用者情報を記憶する使用者情報記憶部５１と、この使用者情報をＩＣタグ読取装置６に送るための使用者情報送出手段５２を有し、例えば使用者１０の携行品に取り付けられる。従って、このＩＣタグ５は使用者と共に移動するので、その使用者の使用者情報に基づいて使用者の存在する場所の照明制御を行うことにより、使用者に適した照度で照明器具を点灯させることが可能となる。このＩＣタグ５の使用者情報は、使用者自体の属性を含み、この属性には、年齢、性別、視力、好みの番組、出演者、好みの照明等が含まれる。このＩＣタグ５は、使用者情報記憶部５１で記憶された使用者情報を使用者情報送出手段５２から無線でＩＣタグ読取装置６に送出する。
【００１２】
ＩＣタグ読取装置６は、使用者情報認識部６１と送受信部６２とを備え、制御装置７の近傍又は制御装置７内に取り付けられる。このＩＣタグ読取装置６は、送受信部６２によりＩＣタグ５と無線信号による送受信が可能であり、使用者に取り付けられたＩＣタグ５から使用者情報を無線で読み取って使用者情報認識部６１で認識して記憶すると共に、この読み取られた使用者情報を制御装置７に送出する。
【００１３】
制御装置７は、画像情報装置２からの画像情報と、ＩＣタグ読取装置６からの使用者情報とにより照明器具４を照明制御する調光制御信号を発生する調光部７１と、この調光部７１からの調光制御信号を送出する制御信号送出部７２と、調光部７１、制御信号送出部７２を含め本システム全体を制御する制御部（ＣＰＵ）７３とを備えている。また、制御部（ＣＰＵ）は番組時間を検出するためのタイマー（時計）を有している。調光部７１は、画像情報装置２からの無線又は有線で送られる画像情報を読み取り記憶する画像情報入力・抽出部７４と、この画像情報と予め登録された使用者情報条件と比較する画像情報条件比較部７５と、ＩＣタグ読取装置６からの使用者情報を読み取り、この使用者情報と予め登録された使用者特定条件とを比較して制御する使用者条件比較部７６と、これら画像情報条件比較部７５及び使用者条件比較部７６のそれぞれの比較結果に基づいて照明制御を行う画像条件照明制御部７７と、使用者条件照明制御部７８と、を備える。画像情報入力・抽出部７４は、画像情報装置２からの画像情報が、ＥＰＧ信号である場合には、ＥＰＧ信号から照明制御に必要な画像情報を抽出して記憶すると共に、制御装置７内における画像情報抽出機能の有無を知らせる信号を画像情報装置２に送る。また、上記画像情報条件データは使用者の好みの番組、照明、出演者名等を含み、使用者特定条件データは使用者の年齢、視力等を含み、これらの比較データは、予め画像情報条件比較部７５、使用者条件比較部７６に含まれるメモリに記憶されている。なお、この予め記憶しておく比較データは、ＩＣタグ読取装置６やＩＣタグ５内、その他構成装置内であれば何処に記憶配置してもよい。また、調光制御は、照明器具４が発光ダイオード（ＬＥＤ）である場合には、色調を調節するものであってもよい。また、照明器具４と制御装置７との間を有線以外に、赤外線又は微弱電波の無線で制御信号を送受信することも可能であり、これにより照明器具４を離れた位置に置かれた制御装置７から自由に制御することができる。
【００１４】
次に、図３を参照して、本照明制御システム１の動作手順を説明する。先ず、画像情報の番組ジャンルに対応した使用者を特定しない照明制御内容を、表１に示す画像情報条件対応照明制御テーブルとして、制御部７３に記憶しておく（Ｓ１０１）。また、使用者情報に対する比較データとして、表２に示す使用者特定条件データ（年齢、視力等）及び使用者画像情報条件データ（嗜好の番組、照明、出演者名等）等の使用者情報データを使用者情報認識部６１内に設定し記録して登録しておく（Ｓ１０２）。ここで、上記表１は、使用者を特定せず、番組ジャンルによって照明制御を行うためのテーブル１を示し、アニメの場合は、暗くして臨場感を高め、映画の場合は、暗くして画面のコントラストを相対的に高めてくっきりした画像を視せるようにする。またニュースでは、明るくして文字などがよく見えるようにする。また、表２は、使用者を特定した場合の使用者の属性による特定条件、画像条件による照明制御のテーブル２を示す。
【００１５】
【表１】
2007227107.tif 000003
【００１６】
【表２】
2007227107.tif 000004
【００１７】
次に、画像情報装置２のＥＰＧ信号デコーダ部２１で得たＥＰＧ情報又は画像情報抽出部２３で得た抽出画像情報の画像情報（番組情報）を画像情報装置２から制御装置７に送る（Ｓ１０３）。制御装置７において、この送られてきた抽出画像情報、又は送られてきたＥＰＧ信号から制御装置７内で抽出した抽出画像情報より、番組名、番組のジャンル、番組の出演者名等の番組情報を得て、その番組情報を制御部７３内のメモリに記憶する（Ｓ１０４）。
【００１８】
一方、部屋内の全使用者のＩＣタグ５からのそれぞれ使用者情報をＩＣタグ読取装置６の送受信部６２で受信し（Ｓ１０５）、ＩＣタグ読取装置６の使用者情報認識部６１で使用者情報を読み取り、読み取った使用者情報の中から必要な使用者情報を抽出して記憶する（Ｓ１０６）。そして、この抽出した使用者情報データと予め登録した表２の使用者条件及び画像条件データとを使用者条件比較部７６で比較して、制御部７３の判断により使用者特定条件に合えば（Ｓ１０７でＹＥＳ）、さらに、画像情報装置２又は画像情報入力・抽出部７４から得た抽出画像情報（番組ジャンル）と、予め登録した表２の使用者画像情報条件データ（番組ジャンル）とを画像情報条件比較部７５で比較して、制御部７３での判断により使用者画像条件に合えば（Ｓ１０８でＹＥＳ）、使用者条件照明制御部７８で特定条件対応照明制御を行う（１０９）。Ｓ１０７又はＳ１０８でＮＯの場合は、表１のテーブル１の画像条件に従い画像条件照明制御部７７で画像条件対応照明制御を行う。これにより、画像条件と使用者の属性を含む使用者特定条件との両方を加味した照明制御を行うことができるので、使用者の年齢や健康状態に合った、又は使用者の嗜好に合った適切な、きめ細かい照明制御を行うことができる。
【００１９】
上記照明制御システム１の動作手順に基づき、表２のテーブル２に示す使用者特定条件対応照明制御のＣＡＳＥ１乃至ＣＡＳＥ４における詳細な手順について、以下、図４乃至図７を参照して説明する。これらの各ＣＡＳＥは、基本的には同様のステップの動作手順を示しており、以下では、異なるステップのみについて説明する。
【００２０】
ＣＡＳＥ１における照明制御システム１の動作手順は、図４に示すように、図３の動作手順のステップ１０７において、使用者情報認識部６１で認識された使用者の中に幼児が存在した場合に（Ｓ１０７でＹＥＳ）、幼児が見ている視聴番組がアニメであった場合は（Ｓ１０８でＹＥＳ）、照明を明るくする（Ｓ１０９）。なお、図４においては、図３と異なる部分のみを示す（以下、同様）。これにより、アニメ番組の照明を明るくして、画像のコントラストを和らげ、目にやさしくし、周囲を明るくすることにより刺激性を抑え、不安感を低減し精神的に安心感を与えることができる。特に、アニメ番組中にアニメ映像光の色点滅がある場合は、幼児の発作による意識障害に繋がる虞があるので、幼児を含め、意識障害を起こす可能性の高い使用者の場合には、照明を暗くしないように制御することが可能である。これにより、アニメ番組による意識障害のようなトラブルを未然に防ぐことが可能になる。
【００２１】
ＣＡＳＥ２における照明制御システム１の動作手順は、図５に示すように、図３の動作手順のステップ１０７において、使用者情報認識部６１において認識された使用者の視力が０．７以下の場合（Ｓ１０７でＹＥＳ）においては、使用者が番組視聴中である場合（Ｓ１０８でＹＥＳ）、照明を明るくする（Ｓ１０９）。このように、番組内容に関係せず視聴者が視る全ての番組において明るくするので、視力の弱い使用者にも見え易くして、明るい照明により刺激的な輝度点滅や色点滅の影響を抑えて視力の低下への結びつきを和らげることができる。
【００２２】
ＣＡＳＥ３における照明制御システム１の動作手順は、図６に示すように、図３の動作手順のステップ１０７において、ＩＣタグ読取装置６の使用者情報認識部６１において認識された使用者が大人で視力が一定以上（例えば、１．０以上）の場合（Ｓ１０７でＹＥＳ）において、さらに使用者が番組のジャンルに関係なく暗い画面を好む場合は（Ｓ１０８でＹＥＳ）、照明を暗くする（Ｓ１０９）。これにより、使用者の視力が良いので使用者の好みの暗い照明で画像を楽しむことができる。
【００２３】
ＣＡＳＥ４における照明制御システム１の動作手順は、図７に示すように、図３の動作手順のステップ１０７において、使用者情報認識部６１に記憶された使用者情報において使用者が好みの番組や好みの出演者を持っている場合で（Ｓ１０７でＹＥＳ）、実際の番組が使用者の好みの番組である、又は好みの出演者が出演している場合は（Ｓ１０８でＹＥＳ）、照明を明るく、又は点滅する（Ｓ１０９）。このように、照明を明るくすることにより、使用者が好みの番組や出演者をより見易くして楽しむことができ、また、点滅させることにより、好みの出演者が出演していることを知らせることができる。
【００２４】
次に、使用者の特定なしに時間条件のみに対応する時間条件対応照明制御のテーブル３をＣＡＳＥ５として表３に示す。ＣＡＳＥ５における照明制御システム１の動作手順は、使用者を特定せず時間条件がある場合の手順を示す。図８に示すように、ステップ１０１からステップ１１０までは図３の動作手順と同じである。照明制御システム１は、制御装置７の制御部７３内のカウンタ時計（図示なし）で時刻を計測し、画像情報入力・抽出部７４からの抽出番組情報（Ｓ１０４）から番組終了時間を検出する（Ｓ１１１）。そして、カウンタ時計による時刻に対し番組終了時刻が１分前かどうかを繰り返し比較して１分前になったら（Ｓ１１２でＹＥＳ）、強制的に照明を徐々に変化して行って終わるようにする（例えば、暗い状態から明るい状態へ）（Ｓ１１３）。これにより、番組の終了が近づいたことを使用者に知らせることができる。
【００２５】
【表３】
2007227107.tif 000005
【００２６】
次に、本発明の第２の実施形態に係る照明制御システムについて、図９を参照して説明する。本実施形態の照明制御システムは、前記第１の実施形態の照明制御システムと、基本的なシステム構成は同じであり、画像情報装置２と画像表示装置３を一体化した点で前記実施形態と異なる。従って、ここでは、画像情報装置２についてのみ説明する。
【００２７】
画像情報装置２は、図９に示すように、テレビ放送電波を受信するアンテナ３１と、アンテナ３１からの放送電波を受信してリモコン装置８でチャンネル選局され、復調された映像信号を得るチューナ部３２と、リモコン装置８からのリモコン信号を受けてチューナ部３２を含む画像情報装置２内の各機能を制御するリモコン受信部３３と、チューナ部３２で復調された映像信号を処理する信号処理部３４と、信号処理部３４で信号処理された映像信号を表示する画像表示部３５とを有する画像受信表示部３ａを有すると共に、チューナ３２からの復調映像信号内のＥＰＧ信号をデコードするＥＰＧ信号デコーダ部２１と、ＥＰＧ信号デコーダ部２１で得られたＥＰＧ信号を送出するＥＰＧ信号送出部２２と、前記ＥＰＧ信号から照明制御に必要な画像情報（番組情報）を抽出する画像情報抽出部２３と、この抽出された画像情報を送出する画像情報送出部２４と、これら送出される画像情報とＥＰＧ信号を選択して送出する送信信号選択部２５とを有する画像情報デコード送出部２ａを備える。本構成においては、画像受信表示部３ａは、画像情報デコード送出部２ａにおけるＥＰＧ信号デコーダ部２１で得たＥＰＧ信号を用いて画像表示部３５にＥＰＧ画面を表示できるので、チャンネル選局用のＥＰＧ信号を、画像情報デコード送出部２ａのＥＰＧ信号デコーダ部２１から得られるので、チャンネル選局用に別のＥＰＧデコーダを設ける必要がなく、装置構成が簡単となり小型化され、照明制御システムを低廉化することができる。なお、本実施形態における制御装置７を含めた動作手順は前記実施形態と同様であるのでそのフローチャート及び説明は省略する。
【００２８】
次に、本発明の第３の実施形態に係る照明制御システムについて、図１０乃至図１２を参照して説明する。本実施形態の照明制御システム１は、前記第１の実施形態の照明制御システム１と基本的には同じ構成であり、使用者が画像表示装置３の画像表示部３５で視ている画像が、画像表示装置３自身のチューナ３２からの映像信号でなく、他の映像機器であるＤＶＤレコーダ９からの映像信号（ＥＰＧ信号を含む）を接続して視ている場合においても、画像情報装置２により視聴中の映像の画像情報を検出して、この画像情報により照明制御できるようにするものである。
【００２９】
本実施形態の照明制御システム１は、図１０に示すように、画像情報を有する画像情報装置２と、画像を受信して表示する画像表示装置３と、この画像表示装置３が設置された空間に配設された照明器具４と、使用者１０自体の属性を含む使用者情報を記憶し使用者１０に携帯されるＩＣタグ５（情報記憶部）と、ＩＣタグ５から出力される使用者情報を受信して使用者の属性を認識するＩＣタグ読取装置６（使用者情報認識部）と、画像情報装置２からの画像情報とＩＣタグ読取装置６からの使用者情報における使用者の属性とに基づいて照明器具４を制御する制御装置７と、テレビ映像の受信と記録再生機能を有する映像記録再生装置としてのＤＶＤレコーダ９を備える。このＤＶＤレコーダ９からの出力映像信号は、画像表示装置３に接続されて表示されると共に、画像情報装置２にも接続され、画像情報装置２は、この出力映像信号からＥＰＧ信号を検出する。
【００３０】
画像情報装置２は、図１１に示すように、前記第１、第２の実施形態と同様に、ＥＰＧ信号をデコードするＥＰＧ信号デコーダ部２１と、ＥＰＧ信号デコーダ部２１で得られたＥＰＧ信号を送出するＥＰＧ信号送出部２２と、前記ＥＰＧ信号から照明制御に必要な画像情報（番組情報）を抽出する画像情報抽出部２３と、この抽出された画像情報を送出する画像情報送出部２４と、これら送出される画像情報とＥＰＧ信号を選択して送出する送信信号選択部２５と、を有する画像情報デコード送出部２ａを備え、さらに、リモコン装置８からのリモコン信号を受信するリモコン信号受信部２７と、このリモコン信号受信部２７からのリモコン信号により表示画像データの判断する表示画像データ判断部２６とを備える。この表示画像データ判断部２６は、表示画像データの判断データにより画像情報デコード送出部２ａを制御し、表示されている画像に画像情報を画像情報デコード送出部２ａの送信信号選択部２５から制御装置７に送出する。
【００３１】
画像表示装置３は、外部映像入力端子Ｔ３と、この外部映像入力端子Ｔ３からの映像信号を信号処理部３４側に切り換えて接続する信号切換スイッチ３６を有し、この外部映像入力端子Ｔ３には、ＤＶＤレコーダ９からのＥＰＧ信号を有する映像信号が接続されている。
【００３２】
ＤＶＤレコーダ９は、アンテナ９１、チューナ９２、リモコン装置８からのリモコン信号を受信するリモコン信号受信部９３と、チューナ９２からの復調された映像信号を記録再生する記録再生部９４と、映像出力端子Ｔ４とを備え、この映像出力端子Ｔ４から復調映像信号又は記録再生部９４からのＥＰＧ信号を含んだ再生映像信号を画像表示装置３の外部映像入力端子Ｔ３に供給する。また、ＥＰＧ信号を含んだ前記復調又は再生映像信号を直接、ケーブル又は無線等で画像情報装置２に送出することも可能である。
【００３３】
リモコン装置８は、画像情報装置２、画像表示装置３、ＤＶＤレコーダ９等、互いに接続されている装置を同じリモコン装置で共通にリモートコントロールできる共用のリモコン装置であり、各装置のリモコン信号受信部２７、３３、９３は、互いに同じリモコン信号を受信でき、リモコン情報を共用できるようになっている。また、リモコン装置８は、制御装置７に内蔵することも可能である。
【００３４】
画像情報装置２において、リモコン信号受信部２７は、リモコン装置８からのリモコン信号より、画像表示装置３及びＤＶＤレコーダ９のチャンネル設定情報、信号切換スイッチ３６での映像信号の切り換え情報等を受信する。そして、表示画像データ判断部２６は、リモコン受信信号から、画像表示装置３の外部映像入力端子Ｔ３にＤＶＤレコーダ９からの映像信号が接続され、この映像信号が画像表示部３５に表示されていることを判断することができる。すなわち、画像表示部３５に表示されている画像がＤＶＤレコーダ９からの映像信号か、画像表示装置３からの映像信号かを判断できる。
【００３５】
このように、表示画像データ判断部２６は、リモコン信号受信部２７からの各装置のリモコン制御信号を認識し、表示されている画像の画像データの状態を判断し、画像情報装置２の画像情報デコード送出部２ａを制御し、照明制御に必要な画像情報を制御装置７に送出する。
【００３６】
次に、この画像情報装置２からの制御装置７への画像情報の送出の動作手順を、図１２を参照して説明する。図１２において、リモコン装置８により、先ず、画像表示装置３のチャンネルを設定し（Ｓ２０１）、画像表示装置３の表示画面が外部映像入力端子Ｔ３に接続されるＤＶＤレコーダからの映像信号となるＤＶＤレコーダ接続チャンネルＸにチャンネルＸ設定すると（Ｓ２０２でＹＥＳ）、ＤＶＤレコーダ９からの映像信号が画像表示装置３に入力され（Ｓ２０３）、信号切換スイッチ３６においてＤＶＤレコーダ９からの映像信号に切換られると（Ｓ２０４でＹＥＳ）、このＤＶＤレコーダ９からの映像信号は画像表示装置３の画像表示部３５に表示され（Ｓ２０５）、かつ画像情報装置２にＥＰＧ信号を含むＤＶＤレコーダ９からの映像信号が送出される（Ｓ２０６）。一方、Ｓ２０２及びＳ２０４でＮＯの場合は、画像表示部３５には、画像表示装置３自身で受信した映像信号が表示され（Ｓ２０７）、ＥＰＧ信号を含んで画像情報装置２に送出される（Ｓ２０８）。これらＤＶＤレコーダ９又は画像表示装置３からの各ＥＰＧ信号を含む映像信号は、画像情報装置２のＥＰＧ信号デコーダ部２１でデコード処理され、制御装置７からの制御信号より制御装置７が特定の画像情報抽出機能を備えている場合は、ＥＰＧ信号デコーダ部２１からＥＰＧ信号をそのまま制御装置７に送出する（Ｓ２１０）。制御装置７では、このＥＰＧ信号から制御装置７内で制御対象画像情報を抽出する。また、制御装置７が画像情報抽出機能を備えていない場合は、画像情報装置２の画像情報抽出部２３で抽出した制御対象画像情報を制御装置７に送出する（Ｓ２１１）。以上のステップにより、画像表示装置３の画像表示部３５に、画像表示装置３で受信した映像信号でなく、画像表示装置３以外の外部映像機器からのＥＰＧ信号を有する映像信号が表示されている場合にも、その画像情報を検出して自動的に画像情報に応じた照明制御を行うことができる。なお、本照明制御システム１の照明制御の動作手順は、前記第１の実施形態と同様であるので、そのフローチャート及び説明は省略する。
【００３７】
このように、本実施形態の照明制御システム１によれば、画像表示装置３に画像表示装置３自身で受信した映像でなく、他の映像機器からの映像を表示して鑑賞している場合にも、その鑑賞している画像情報に応じた、かつ使用者情報を加味した適切な照明制御を行うことができる。
【００３８】
上記各実施形態における照明制御システム１によれば、画像情報による番組内容に合わせた照明制御と、使用者情報による個人の属性に合わせた照明制御とを自動的に行えるので、画像情報、使用者の属性に整合した適切な照明制御を行うことができる。すなわち、個人の健康条件、年齢条件や個人の嗜好条件等を加味した照明制御を行うことができる。これにより、例えば、幼児に意識障害を起こす可能性のあるアニメ映像光の色点滅などの強い刺激画像を照明を明るくすることにより和らげ、また、視力の弱い使用者にも照明を明るくすることにより視力低下の影響を抑えて見易くすることができる。このように、使用者の属性に応じて、適切な、きめ細かい人間に優しい照明制御を自動的に行うことが可能となる。また、一般の健勝者に対しては、本人の好みの番組を本人の希望の照明で鑑賞することができ映像鑑賞を迫力と臨場感を持って楽しむことができる。
【００３９】
また、上記各実施形態において、画像情報装置と画像表示装置が離れている場合においても、画像表示装置で表示されている映像の画像情報が無線又は有線で画像情報装置２に伝送されさえすれば、どのような接続構成であってもかまわない。また、制御装置とＩＣタグ読取装置との一体化、さらに加えて、リモコン装置や画像情報装置との一体化も可能である。これらの一体化により、制御装置内にＩＣタグ読取装置、リモコン装置、及び画像情報装置を内蔵し、制御装置からの照明制御信号を無線（光伝送、赤外線伝送を含む）で照明器具に伝送し、高い位置に配設された照明装置を、離れた位置の制御装置より簡単に制御することができる。また、画像表示装置のリモコン装置を照明制御信号の伝送に兼用して利用することも可能である。
【００４０】
また、画像表示装置で視る映像信号は、ＥＰＧ信号を含んでいればＤＶＤレコーダ９のチューナからの映像信号でも、ＤＶＤレコーダ９に記録された再生画像でもどちらでもよい。さらに、ＤＶＤレコーダ９以外に、ＶＣＲ、及びＢＳチューナ、ＣＳチューナなどテレビ放送を受信できるチューナや記録再生機能を備え、ＥＰＧ信号を含む映像信号を送出できる映像機器であれば何でもよい。
【００４１】
また、画像情報装置自身に放送電波を受信するチューナ装置を設け、このチューナ装置で受信した映像信号を画像表示装置に送り、画像表示装置の画像表示部で受信映像画像を表示することもできる。これにより、画像情報装置内で画像情報を受信することができるので、画像情報を得るための信号のやり取りや接続作業を省くことができる。このとき、画像表示装置は、受信機能がなくてもよく、画像を表示できるモニタ用表示装置であればよい。
【００４２】
また、上記実施形態では、テレビ映像信号を画像表示装置で受信して見る構成を説明したが、この受信画像は放送電波でなくてもインターネット等の他の画像伝送媒体からの画像情報でもよく、例えば、インターネットから伝送されてきた画像をパソコン画面で見る場合も、伝送されてきた画像信号の中にＥＰＧ信号のような番組情報が含まれていれば、同様にこの番組情報を画像情報装置で検出して照明制御を行なうことができる。また、パソコン内のＣＰＵに照明制御プロセスを組み込むことにより制御装置をパソコンに内蔵することも可能である。
【図面の簡単な説明】
【００４３】
【図１】本発明の第１の実施形態に係る照明制御システムの全体構成を示す図。
【図２】上記照明制御システムの回路ブロック構成図。
【図３】上記照明制御システムによる照明制御の動作手順を示すフローチャート。
【図４】上記動作手順のＣＡＳＥ１の詳細を示す部分フローチャート。
【図５】上記動作手順のＣＡＳＥ２の詳細を示す部分フローチャート。
【図６】上記動作手順のＣＡＳＥ３の詳細を示す部分フローチャート。
【図７】上記動作手順のＣＡＳＥ４の詳細を示す部分フローチャート。
【図８】上記動作手順のＣＡＳＥ５の詳細を示すフローチャート。
【図９】本発明の第２の実施形態に係る照明制御システムの構成を示す図。
【図１０】本発明の第３の実施形態に係る照明制御システムの構成を示す図。
【図１１】上記照明制御システムの回路ブロック構成図。
【図１２】上記照明制御システムによる照明制御の動作手順を示すフローチャート。
【符号の説明】
【００４４】
１  照明制御システム
２  画像情報装置
３  画像表示装置
４  照明器具
５  ＩＣタグ（情報記憶部）
６  ＩＣタグ読取装置（使用者情報認識部）
７  制御装置
【図１】
2007227107.tif 000006
【図２】
2007227107.tif 000007
【図３】
2007227107.tif 000008
【図４】
2007227107.tif 000009
【図５】
2007227107.tif 000010
【図６】
2007227107.tif 000011
【図７】
2007227107.tif 000012
【図８】
2007227107.tif 000013
【図９】
2007227107.tif 000014
【図１０】
2007227107.tif 000015
【図１１】
2007227107.tif 000016
【図１２】
2007227107.tif 000017